(57)【要約】  ＨＡＲＱシェアリングを実現するためのトランスポートブロックサイズを制御するための技術が開示される。本発明の一態様は、ユーザ装置と無線通信するためのセルを管理するセル管理部と、１つ又は複数のＨＡＲＱプロセスを共通のＨＡＲＱプロセスとして管理するＨＡＲＱシェアリングを利用することによって、複数のセルを介した再送処理を制御するＭＡＣ処理部とを有する基地局であって、前記セル管理部は、前記ＨＡＲＱシェアリングが適用される複数のセルの通信品質を取得し、前記ＭＡＣ処理部は、前記取得した各セルの通信品質に対応する送信データサイズのうち最小の送信データサイズによって、前記複数のセルを介した送信を開始するよう制御する基地局に関する。
2016178331.tif 000002
【特許請求の範囲】
【請求項１】
ユーザ装置と無線通信するためのセルを管理するセル管理部と、
１つ又は複数のＨＡＲＱプロセスを共通のＨＡＲＱプロセスとして管理するＨＡＲＱシェアリングを利用することによって、複数のセルを介した再送処理を制御するＭＡＣ処理部と、
を有する基地局であって、
前記セル管理部は、前記ＨＡＲＱシェアリングが適用される複数のセルの通信品質を取得し、
前記ＭＡＣ処理部は、前記取得した各セルの通信品質に対応する送信データサイズのうち最小の送信データサイズによって、前記複数のセルを介した送信を開始するよう制御する基地局。
【請求項２】
前記ＭＡＣ処理部は、前記再送処理において前記最小の送信データサイズの送信を可能にするため、前記セルにおける割当てリソースブロック数又は変調符号化方式を制御する、請求項１記載の基地局。
【請求項３】
ユーザ装置と無線通信するためのセルを管理するセル管理部と、
１つ又は複数のＨＡＲＱプロセスを共通のＨＡＲＱプロセスとして管理するＨＡＲＱシェアリングを利用することによって、複数のセルを介した再送処理を制御するＭＡＣ処理部と、
前記ＭＡＣ処理部に送信データを提供するＲＬＣ処理部と、
を有する基地局であって、
前記セル管理部は、前記ＨＡＲＱシェアリングが適用される複数のセルの通信品質を取得し、
前記複数のセルの何れかについて検出された通信品質が、現在設定されている送信データサイズを送信するのに必要なレベル未満に低下すると、前記ＭＡＣ処理部は、前記検出された通信品質に対応する送信データサイズにより構成された送信データを前記ＲＬＣ処理部から取得する基地局。
【請求項４】
前記ＲＬＣ処理部は、前記ＲＬＣ処理部からの送信データの再送回数を計数する再送カウンタを有し、
前記ＭＡＣ処理部から前記検出された通信品質に対応する送信データサイズにより構成された送信データを要求されたことに応答して、前記ＲＬＣ処理部は、前記再送カウンタをインクリメントしない、請求項３記載の基地局。
【請求項５】
基地局により提供されるセルを介し無線信号を送受信する送受信部と、
１つ又は複数のＨＡＲＱプロセスを共通のＨＡＲＱプロセスとして管理するＨＡＲＱシェアリングを利用することによって、複数のセルを介した再送処理を制御するＭＡＣ処理部と、
前記ＭＡＣ処理部に送信データを提供するＲＬＣ処理部と、
を有するユーザ装置であって、
前記送受信部は、前記ＨＡＲＱシェアリングが適用される複数のセルの通信品質を取得し、
前記複数のセルの何れかについて検出された通信品質が、現在設定されている送信データサイズを送信するのに必要なレベル未満に低下すると、前記ＭＡＣ処理部は、前記検出された通信品質に対応する送信データサイズにより構成された送信データを前記ＲＬＣ処理部から取得するユーザ装置。
【請求項６】
前記ＲＬＣ処理部は、前記ＲＬＣ処理部からの送信データの再送回数を計数する再送カウンタを有し、
前記ＭＡＣ処理部から前記検出された通信品質に対応する送信データサイズにより構成された送信データを要求されたことに応答して、前記ＲＬＣ処理部は、前記再送カウンタをインクリメントしない、請求項５記載のユーザ装置。
【請求項７】
ユーザ装置と無線通信するためのセルを管理するセル管理部と、
１つ又は複数のＨＡＲＱプロセスを共通のＨＡＲＱプロセスとして管理するＨＡＲＱシェアリングを利用することによって、複数のセルを介した再送処理を制御するＭＡＣ処理部と、
を有する基地局であって、
前記ＭＡＣ処理部は、各送信機会において複数の拡張された冗長バージョンに対応するビット系列を送信し、前記再送処理において現在設定されている送信データサイズより小さな送信データサイズによりビット系列を送信する場合、前記複数の拡張された冗長バージョンを低減することによって、前記より小さな送信データサイズによりビット系列を送信する基地局。
【請求項８】
前記拡張された冗長バージョンは、それぞれ異なるビット系列長を有する、請求項７記載の基地局。
【請求項９】
基地局により提供されるセルを介し無線信号を送受信する送受信部と、
１つ又は複数のＨＡＲＱプロセスを共通のＨＡＲＱプロセスとして管理するＨＡＲＱシェアリングを利用することによって、複数のセルを介した再送処理を制御するＭＡＣ処理部と、
を有するユーザ装置であって、
前記ＭＡＣ処理部は、各送信機会において複数の拡張された冗長バージョンに対応するビット系列を送信し、前記再送処理において現在設定されている送信データサイズより小さな送信データサイズによりビット系列を送信する場合、前記複数の拡張された冗長バージョンに対応するビット系列を低減することによって、前記より小さな送信データサイズによりビット系列を送信するユーザ装置。
【請求項１０】
前記拡張された冗長バージョンは、それぞれ異なるビット系列長を有する、請求項９記載のユーザ装置。
【発明の詳細な説明】
【技術分野】
【０００１】
本発明は、無線通信システムに関する。
【背景技術】
【０００２】
ＬＴＥ（Ｌｏｎｇ  Ｔｅｒｍ  Ｅｖｏｌｕｔｉｏｎ）システムでは、ＨＡＲＱ（Ｈｙｂｒｉｄ  Ａｕｔｏｍａｔｉｃ  Ｒｅｐｅａｔ  Ｒｅｑｕｅｓｔ）を用いた高速再送によって高いスループットを実現することが可能である。ＨＡＲＱはＭＡＣ（Ｍｅｄｉｕｍ  Ａｃｃｅｓｓ  Ｃｏｎｔｒｏｌ）レイヤにおいて実行され、ＬＴＥ規格では、ユーザ装置（Ｕｓｅｒ  Ｅｑｕｉｐｍｅｎｔ：ＵＥ）及び基地局（ｅｖｏｌｖｅｄ  ＮｏｄｅＢ：ｅＮＢ）が管理するＨＡＲＱプロセスの個数は、セルのデュプレクスモードなどに依存して決定される。また、キャリアアグリゲーションが設定されている場合、セル又はコンポーネントキャリア（Ｃｏｍｐｏｎｅｎｔ  Ｃａｒｒｉｅｒ：ＣＣ）毎にＨＡＲＱエンティティが設定され、各ＨＡＲＱエンティティが複数のＨＡＲＱプロセスを維持する。このようなＭＡＣレイヤにおけるＨＡＲＱ制御では、数ミリ秒レベルでの高速再送が可能であり、受信側が一旦データの受信に失敗しても、以降の再送により当該データを早期に受信することができ、スループットの向上を図ることができる。【０００３】
ＬＴＥシステムでは、ユーザ装置のＭＡＣレイヤは、データを送信する際、基地局から受信したアップリンクグラントにより指示された変調符号化方式（Ｍｏｄｕｌａｔｉｏｎ  ａｎｄ  Ｃｏｄｉｎｇ  Ｓｃｈｅｍｅ：ＭＣＳ）に従ってデータを送信するためのトランスポートブロックサイズ（ＴＢＳ）を決定し、対応するサイズのデータをＲＬＣ（Ｒａｄｉｏ  Ｌｉｎｋ  Ｃｏｎｔｒｏｌ）レイヤから取得する。また、データを再送する際は、トランスポートブロックサイズは初送と同一のサイズが使用され、ＲＶＩ（Ｒｅｄｕｎｄａｎｃｙ  Ｖｅｒｓｉｏｎ  Ｉｎｄｅｘ）によって、ＨＡＲＱ再送において送信される冗長バージョンが指定される。仮に、再送データのＴＢＳが初送のものと異なると、ユーザ装置は初送データと再送データとを適切に合成することができなくなり、復号に失敗してしまう。
【先行技術文献】
【非特許文献】
【０００４】
【非特許文献１】３ＧＰＰ  ＴＳ３６．３２１  Ｖ１２．５．０（２０１５−０３）
【非特許文献２】３ＧＰＰ  ＴＳ３６．３２２  Ｖ１２．２．０（２０１５−０３）
【発明の概要】
【発明が解決しようとする課題】
【０００５】
第５世代（５Ｇ）通信では、図１に示されるような３つの代表的なユースケースが想定されている。すなわち、３つのユースケースは、モバイルブロードバンドをさらに発展させたユースケース、あらゆるものがネットワークに接続されるＩｏＴ（Ｉｎｔｅｒｎｅｔ  ｏｆ  Ｔｈｉｎｇｓ）などのユースケース、及び高信頼かつ超低遅延通信を実現させたユースケースである。【０００６】
このように第５世代通信の要求条件の１つとして、信頼性が高くかつ超低遅延な通信が挙げられている。従来、音声サービスなどの遅延要求の厳しいサービスに対しては、他の論理チャネルやユーザ装置よりも高い優先度によりスケジューリングすることによって、データの送受信が大きく遅延することを回避してきた。しかしながら、無線品質が十分に良好でない場合やセルが混雑している場合には、当該サービスに対するセル内の優先度を向上させたとしても、遅延低減効果は限定的となる可能性がある。【０００７】
一方、ＲＬＣレイヤからの再送をより迅速化することも考えられる。例えば、図２の左側に示されるように、ユーザ装置が２つのコンポーネントキャリアＣＣ＃１，ＣＣ＃２を介し基地局と通信している場合、ＲＬＣレイヤから各ＣＣに対応するＨＡＲＱエンティティに再送データを迅速に提供することによって、遅延の低減を図ることも考えられる。しかしながら、ＲＬＣレイヤのＲＴＴ（Ｒｏｕｎｄ  Ｔｒｉｐ  Ｔｉｍｅ）は数１０ｍｓとなり、遅延低減効果は限定的となる。また、一方のセルの無線品質が良好でない場合には、当該セルからのデータ再送は遅延すると考えられるため、遅延低減効果は同様に限定的となる。【０００８】
そこで、図２の右側に示されるように、複数のセル又はコンポーネントキャリア（Ｃｏｍｐｏｎｅｎｔ  Ｃａｒｒｉｅｒ：ＣＣ）でＭＡＣ送信又は再送を実行することによって、ダイバーシチ効果により低遅延を実現することが検討されている（ＨＡＲＱシェアリング）。すなわち、図示されるように、同一の再送データを複数のセルのリソースを用いて多重再送することによって、一方のセルの無線品質が良好でなかったり、あるいは混雑しているためデータがユーザ装置に届かなくても、他方のセルで当該データがユーザ装置により受信されれば、遅延を低減することが可能になる。【０００９】
一方、ＨＡＲＱプロセスから送信されるトランスポートブロックサイズは、各セルの通信品質や割当て可能なリソース数などのセル状態に基づき決定される。このため、ＨＡＲＱシェアリングが適用されている各セルのセル状態によっては、ＭＡＣ  ＰＤＵ（Ｐａｃｋｅｔ  Ｄａｔａ  Ｕｎｉｔ）のＨＡＲＱ再送に必要なトランスポートブロックサイズを当該セルにおいて確保することができない可能性がある。例えば、通信品質の良好なコンポーネントキャリアで初送を行い、その後に通信品質が十分でないコンポーネントキャリアで再送を行うケースを考える。この場合、初送では良好な通信品質に対応するトランスポートブロックサイズが利用され、当該トランスポートブロックサイズに対応するデータが、十分な通信品質を有さないコンポーネントキャリアにおける再送にも利用されることになる。しかしながら、この通信品質が十分でないコンポーネントキャリアでは、当該トランスポートブロックを確保することができない可能性がある。例えば、図３に示されるように、相対的に通信品質が高いＣＣ＃２において１０００ビットのトランスポートブロックサイズが利用され、ＭＡＣレイヤは、当該サイズに対応するデータをＲＬＣレイヤから取得し、送信用のＭＡＣ  ＰＤＵを生成する。一方、相対的に通信品質が低いＣＣ＃１では、５００ビットのトランスポートブロックサイズしか割り当てられず、１０００ビットのトランスポートブロックサイズに対応したＭＡＣ  ＰＤＵは、ＣＣ＃１においては送信できず、ＨＡＲＱシェアリングを実現することができない。【００１０】
上述した問題点を鑑み、本発明の課題は、ＨＡＲＱシェアリングを実現するためのトランスポートブロックサイズを制御するための技術を提供することである。
【課題を解決するための手段】
【００１１】
上記課題を解決するため、本発明の一態様は、ユーザ装置と無線通信するためのセルを管理するセル管理部と、１つ又は複数のＨＡＲＱプロセスを共通のＨＡＲＱプロセスとして管理するＨＡＲＱシェアリングを利用することによって、複数のセルを介した再送処理を制御するＭＡＣ処理部とを有する基地局であって、前記セル管理部は、前記ＨＡＲＱシェアリングが適用される複数のセルの通信品質を取得し、前記ＭＡＣ処理部は、前記取得した各セルの通信品質に対応する送信データサイズのうち最小の送信データサイズによって、前記複数のセルを介した送信を開始するよう制御する基地局に関する。【００１２】
本発明の他の態様は、ユーザ装置と無線通信するためのセルを管理するセル管理部と、１つ又は複数のＨＡＲＱプロセスを共通のＨＡＲＱプロセスとして管理するＨＡＲＱシェアリングを利用することによって、複数のセルを介した再送処理を制御するＭＡＣ処理部と、前記ＭＡＣ処理部に送信データを提供するＲＬＣ処理部とを有する基地局であって、前記セル管理部は、前記ＨＡＲＱシェアリングが適用される複数のセルの通信品質を取得し、前記複数のセルの何れかについて検出された通信品質が、現在設定されている送信データサイズを送信するのに必要なレベル未満に低下すると、前記ＭＡＣ処理部は、前記検出された通信品質に対応する送信データサイズにより構成された送信データを前記ＲＬＣ処理部から取得する基地局に関する。【００１３】
本発明の他の態様は、基地局により提供されるセルを介し無線信号を送受信する送受信部と、１つ又は複数のＨＡＲＱプロセスを共通のＨＡＲＱプロセスとして管理するＨＡＲＱシェアリングを利用することによって、複数のセルを介した再送処理を制御するＭＡＣ処理部と、前記ＭＡＣ処理部に送信データを提供するＲＬＣ処理部とを有するユーザ装置であって、前記送受信部は、前記ＨＡＲＱシェアリングが適用される複数のセルの通信品質を取得し、前記複数のセルの何れかについて検出された通信品質が、現在設定されている送信データサイズを送信するのに必要なレベル未満に低下すると、前記ＭＡＣ処理部は、前記検出された通信品質に対応する送信データサイズにより構成された送信データを前記ＲＬＣ処理部から取得するユーザ装置に関する。【００１４】
本発明の更なる他の態様は、ユーザ装置と無線通信するためのセルを管理するセル管理部と、１つ又は複数のＨＡＲＱプロセスを共通のＨＡＲＱプロセスとして管理するＨＡＲＱシェアリングを利用することによって、複数のセルを介した再送処理を制御するＭＡＣ処理部とを有する基地局であって、前記ＭＡＣ処理部は、各送信機会において複数の拡張された冗長バージョンに対応するビット系列を送信し、前記再送処理において現在設定されている送信データサイズより小さな送信データサイズによりビット系列を送信する場合、前記複数の拡張された冗長バージョンを低減することによって、前記より小さな送信データサイズによりビット系列を送信する基地局に関する。【００１５】
本発明の他の態様は、基地局により提供されるセルを介し無線信号を送受信する送受信部と、１つ又は複数のＨＡＲＱプロセスを共通のＨＡＲＱプロセスとして管理するＨＡＲＱシェアリングを利用することによって、複数のセルを介した再送処理を制御するＭＡＣ処理部とを有するユーザ装置であって、前記ＭＡＣ処理部は、各送信機会において複数の拡張された冗長バージョンに対応するビット系列を送信し、前記再送処理において現在設定されている送信データサイズより小さな送信データサイズによりビット系列を送信する場合、前記複数の拡張された冗長バージョンを低減することによって、前記より小さな送信データサイズによりビット系列を送信するユーザ装置に関する。
【発明の効果】
【００１６】
本発明によると、ＨＡＲＱシェアリングを実現するためのトランスポートブロックサイズを制御することができる。
【図面の簡単な説明】
【００１７】
【図１】図１は、第５世代通信の典型的なユースケースを示す概略図である。
【図２】図２は、複数のセルを利用したＨＡＲＱ再送のためのプロトコルを示す概略図である。
【図３】図３は、従来技術による複数のセルを利用したＨＡＲＱ再送を示す図である。
【図４Ａ】図４Ａは、本発明の一実施例による無線通信システムを示す概略図である。
【図４Ｂ】図４Ｂは、本発明の一実施例による基地局のハードウェア構成を示すブロック図である。
【図４Ｃ】図４Ｃは、本発明の一実施例によるユーザ装置のハードウェア構成を示すブロック図である。
【図５】図５は、本発明の第１実施例による基地局の構成を示すブロック図である。
【図６】図６は、本発明の第１実施例によるＨＡＲＱ送信処理を示すフロー図である。
【図７】図７は、本発明の第２実施例による基地局の構成を示すブロック図である。
【図８】図８は、本発明の第２実施例によるユーザ装置の構成を示すブロック図である。
【図９】図９は、本発明の第２実施例によるＨＡＲＱ送信処理を示すフロー図である。
【図１０】図１０は、本発明の第３実施例による基地局の構成を示すブロック図である。
【図１１】図１１は、本発明の第３実施例によるユーザ装置の構成を示すブロック図である。
【図１２】図１２は、本発明の第３実施例によるＨＡＲＱ送信処理を示すフロー図である。
【発明を実施するための形態】
【００１８】
以下、図面に基づいて本発明の実施の形態を説明する。
【００１９】
以下の実施例では、一つ又は複数のＨＡＲＱプロセスを共通ＨＡＲＱプロセスとして管理するＨＡＲＱシェアリングをサポートする基地局及びユーザ装置が開示される。後述する実施例を概略すると、共通ＨＡＲＱプロセスが設定されている場合、ＨＡＲＱ再送処理中の各セルの通信品質の劣化に応じて、再送データのトランスポートブロックサイズが動的に調整される。これにより、初送時に設定されたトランスポートブロックサイズが再送時においても固定的に適用され続ける従来のＨＡＲＱ制御と比較して、各セルの通信品質の劣化によって当該トランスポートブロックサイズが確保できない状況に適切に対処することが可能になる。
【００２０】
図４Ａを参照して、本発明の一実施例による無線通信システムを説明する。図４Ａは、本発明の一実施例による無線通信システムを示す概略図である。
【００２１】
図４Ａに示されるように、無線通信システム１０は、基地局１００及びユーザ装置２００を有する。無線通信システム１０は、例えば、ＬＴＥシステム又はＬＴＥ−Ａｄｖａｎｃｅｄシステムである。すなわち、ユーザ装置２００は、図示されるように、複数のコンポーネントキャリアＣＣ＃１，ＣＣ＃２を同時に用いて基地局１００との間で無線信号を送受信することができる。図示された実施例では、ユーザ装置２００は、１つの基地局１００とキャリアアグリゲーション通信を行うことしか示されていないが、本発明は、これに限定されるものでない。例えば、ユーザ装置２００は、複数の基地局１００により提供されるコンポーネントキャリアを同時に利用して、複数の基地局１００と同時に送受信を行ってもよい（デュアルコネクティビティ）。また、図示された実施例では、１つの基地局１００しか示されていないが、無線通信システム１０のサービスエリアをカバーするよう多数の基地局１００が配置される。
【００２２】
基地局１００は、ユーザ装置２００と無線接続することによって、コアネットワーク（図示せず）上に通信接続された上位局やサーバから受信したダウンリンク（ＤＬ）パケットをユーザ装置２００に送信すると共に、ユーザ装置２００から受信したアップリンク（ＵＬ）パケットをサーバに送信する。基地局１００は、複数のキャリアを介しユーザ装置２００から無線信号を同時に送受信するキャリアアグリゲーション機能を有してもよい。
【００２３】
図４Ｂに示されるように、基地局１００は、典型的には、ユーザ装置２００との間で無線信号を送受信するためのアンテナ１０１、隣接する基地局１００と通信するための第１通信インタフェース（Ｘ２インタフェースなど）１０２、コアネットワークと通信するための第２通信インタフェース（Ｓ１インタフェースなど）１０３、ユーザ装置２００との送受信信号を処理するためのプロセッサ１０４や回路、メモリ装置１０５などのハードウェアリソースにより構成される。後述される基地局１００の各機能及び処理は、メモリ装置１０５に格納されているデータやプログラムをプロセッサ１０４が処理又は実行することによって実現されてもよい。しかしながら、基地局１００は、上述したハードウェア構成に限定されず、他の何れか適切なハードウェア構成を有してもよい。
【００２４】
ユーザ装置２００は、基地局１００により提供される複数のセルを介し基地局１００と通信する。また、ユーザ装置２００は、１以上の基地局１００により提供される複数のセルを同時に利用して、基地局１００と無線信号を送受信するキャリアアグリゲーション機能を有する。典型的には、ユーザ装置２００は、図示されるように、スマートフォン、携帯電話、タブレット、モバイルルータ、ウェアラブル端末などの無線通信機能を備えた何れか適切な情報処理装置であってもよい。図４Ｃに示されるように、ユーザ装置２００は、プロセッサなどのＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）やフラッシュメモリなどのメモリ装置２０２、基地局１００との間で無線信号を送受信するための無線通信装置２０３、入出力装置や周辺装置などのユーザインタフェース２０４などから構成される。例えば、後述されるユーザ装置２００の各機能及び処理は、メモリ装置２０２に格納されているデータやプログラムをＣＰＵ２０１が処理又は実行することによって実現されてもよい。しかしながら、ユーザ装置２００は、上述したハードウェア構成に限定されず、後述する処理の１以上を実現する回路などにより構成されてもよい。
【００２５】
次に、図５〜６を参照して、本発明の第１実施例によるＨＡＲＱ送信処理を説明する。図５は、本発明の第１実施例による基地局の構成を示すブロック図である。
【００２６】
図５に示されるように、基地局１００Ａは、セル管理部１１０Ａ及びＭＡＣ処理部１２０Ａを有する。
【００２７】
セル管理部１１０Ａは、ユーザ装置２００と無線通信するためのセルを管理する。具体的には、セル管理部１１０Ａは、基地局１００Ａにより提供される複数のセルの通信品質を取得し、取得した各セルの通信品質をセル品質情報として保持する。例えば、ダウンリンク通信については、セル管理部１１０Ａは、ユーザ装置２００から各セルのＣＱＩ（Ｃｈａｎｎｅｌ  Ｑｕａｌｉｔｙ  Ｉｎｄｉｃａｔｏｒ）を取得し、取得したＣＱＩに基づきセル品質情報を構成してもよい。また、アップリンク通信については、セル管理部１１０Ａは、ユーザ装置２００から送信されるＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）、ＳＲＳ（Ｓｏｕｎｄｉｎｇ  Ｒｅｆｅｒｅｎｃｅ  Ｓｉｇｎａｌ）などの受信品質を測定し、測定結果に基づきセル品質情報を構成してもよい。
【００２８】
ＭＡＣ処理部１２０Ａは、１つ又は複数のＨＡＲＱプロセスを共通のＨＡＲＱプロセスとして管理するＨＡＲＱシェアリングを利用することによって、複数のセルを介した再送処理を制御する。具体的には、基地局１００Ａがユーザ装置２００に対して複数のセルを設定するとき、ＭＡＣ処理部１２０Ａは、これらのセルについて設定された１つ又は複数のＨＡＲＱプロセスを共通のＨＡＲＱプロセスとして管理するＨＡＲＱシェアリングを設定する。例えば、３つのコンポーネントキャリアＣＣ＃１，ＣＣ＃２，ＣＣ＃３が設定される場合、ＨＡＲＱプロセス＃０〜３はＣＣ＃１，ＣＣ＃２の間でシェアリングされて共通のＨＡＲＱプロセスとして管理され、ＨＡＲＱプロセス＃４〜７はＣＣ＃２，ＣＣ＃３の間でシェアリングされて共通のＨＡＲＱプロセスとして管理されてもよい。この場合、ＭＡＣ処理部１２０Ａは、設定されたＨＡＲＱプロセスのうち指定されたＨＡＲＱプロセスを共通のＨＡＲＱプロセスとして管理し、当該共通のＨＡＲＱプロセスの再送データを複数のセルを介しユーザ装置２００に送信する。これにより、ダイバーシチ効果によって再送データをより確実にユーザ装置２００に送信することが可能になる。
【００２９】
第１実施例では、セル管理部１１０Ａは、ＨＡＲＱシェアリングが適用される複数のセルの通信品質を取得し、ＭＡＣ処理部１２０Ａは、取得した各セルの通信品質に対応する送信データサイズのうち最小の送信データサイズによって、複数のセルを介した送信を開始するよう制御する。具体的には、ＭＡＣ処理部１２０Ａは、ＨＡＲＱシェアリングにおける共通のＨＡＲＱプロセスに関連する複数のコンポーネントキャリアでデータを送信する際、セル品質情報に基づき各コンポーネントキャリアで期待されるトランスポートブロックサイズを判断し、これらのトランスポートブロックサイズのうち最小のトランスポートブロックサイズを利用して送信を開始する。例えば、ダウンリンク送信については、ＭＡＣ処理部１２０Ａは、当該最小のトランスポートブロックサイズに対応したデータをＲＬＣレイヤから取得し、取得したデータからＭＡＣ  ＰＤＵを生成してユーザ装置２００に送信する。他方、アップリンク送信については、ＭＡＣ処理部１２０Ａは、当該最小のトランスポートブロックサイズを指示したアップリンクグラントをユーザ装置２００に送信し、当該アップリンクグラントを受信すると、ユーザ装置２００は、指定されたトランスポートブロックサイズによりアップリンク送信を実行する。なお、受信側は、初送で受信したトランスポートブロックサイズと異なるトランスポートブロックサイズの再送データを受信した場合、当該再送データを破棄してもよい。
【００３０】
一実施例では、ＭＡＣ処理部１２０Ａは、再送処理において当該最小の送信データサイズの送信を可能にするため、セルにおける割当てリソースブロック数又は変調符号化方式を制御してもよい。すなわち、ＭＡＣ処理部１２０Ａは、初送時に設定された最小のトランスポートブロックサイズをＨＡＲＱ再送時に確保できない場合、初送と同等のトランスポートブロックサイズが担保できるように割当てリソースブロック数及び／又はＭＣＳを選択してもよい。この場合、ＭＡＣ処理部１２０Ａは、実際の通信品質に対してアグレッシブな割当てを実行することになり、再送では、通信品質が十分でなく、再送データが欠落する可能性がある。このような可能性を鑑み、ＭＡＣ処理部１２０Ａは、実際の通信品質に対して安全なＭＣＳ、すなわち、実際の通信品質に対応したＭＣＳの代わりに、より劣化した通信品質にも対応可能なＭＣＳを選択してもよい。
【００３１】
図６は、本発明の第１実施例によるＨＡＲＱ送信処理を示すフロー図である。当該処理は、ダウンリンクデータ又はアップリンクデータの初送の際に、基地局１００Ａにより実行される。
【００３２】
図６に示されるように、ステップＳ１０１において、基地局１００Ａは、ユーザ装置２００と無線通信するためのセルの通信品質を取得する。例えば、基地局１００Ａは、ダウンリンク通信についてはユーザ装置２００から取得した各セルのＣＱＩを利用して、また、アップリンク通信についてはユーザ装置２００から送信されるＰＵＣＣＨ、ＰＵＳＣＨ、ＳＲＳなどの受信品質の測定結果を利用して、セル品質情報を構成してもよい。
【００３３】
ステップＳ１０２において、基地局１００Ａは、共通ＨＡＲＱプロセスを適用する。すなわち、基地局１００Ａは、１つ又は複数のＨＡＲＱプロセスを共通のＨＡＲＱプロセスとして管理するＨＡＲＱシェアリングを利用する。これにより、共通のＨＡＲＱプロセスに関連するセルから送信されたデータについて再送が必要になった場合、共通のＨＡＲＱプロセスに関連する他のセルからデータを再送することが可能になり、ダイバーシチ効果によってより確実に再送データを受信させることが可能になる。
【００３４】
ステップＳ１０３において、基地局１００Ａは、取得した各セルの通信品質に対応する送信データサイズのうち最小の送信データサイズによって、複数のセルを介したＨＡＲＱ送信を開始するよう制御する。具体的には、基地局１００Ａは、共通ＨＡＲＱプロセスが適用される各コンポーネントキャリアに対応するトランスポートブロックサイズのうち、最小のトランスポートブロックサイズを共通ＨＡＲＱプロセスの送信データに適用する。例えば、ダウンリンク送信については、基地局１００Ａは、当該最小のトランスポートブロックサイズに対応したデータをＲＬＣレイヤから取得し、取得したデータからＭＡＣ  ＰＤＵを生成してユーザ装置２００に送信する。他方、アップリンク送信については、基地局１００Ａは、当該最小のトランスポートブロックサイズを指示したアップリンクグラントをユーザ装置２００に送信し、当該アップリンクグラントを受信すると、ユーザ装置２００は、指定されたトランスポートブロックサイズによりアップリンク送信を実行する。
【００３５】
次に、図７〜９を参照して、本発明の第２実施例によるＨＡＲＱ送信処理を説明する。図７は、本発明の第２実施例による基地局の構成を示すブロック図である。
【００３６】
図７に示されるように、基地局１００Ｂは、セル管理部１１０Ｂ、ＭＡＣ処理部１２０Ｂ及びＲＬＣ処理部１３０Ｂを有する。
【００３７】
セル管理部１１０Ｂは、ユーザ装置２００と無線通信するためのセルを管理する。具体的には、第１実施例と同様に、セル管理部１１０Ｂは、基地局１００Ｂにより提供される複数のセルの通信品質を取得し、取得した各セルの通信品質をセル品質情報として保持する。例えば、ダウンリンク通信については、セル管理部１１０Ｂは、ユーザ装置２００から各セルのＣＱＩを取得し、取得したＣＱＩに基づきセル品質情報を構成してもよい。また、アップリンク通信については、セル管理部１１０Ｂは、ユーザ装置２００から送信されるＰＵＣＣＨ、ＰＵＳＣＨ、ＳＲＳなどの受信品質を測定し、測定結果に基づきセル品質情報を構成してもよい。
【００３８】
ＭＡＣ処理部１２０Ｂは、１つ又は複数のＨＡＲＱプロセスを共通のＨＡＲＱプロセスとして管理するＨＡＲＱシェアリングを利用することによって、１つ又は複数のセルを介した再送処理を制御する。具体的には、基地局１００Ｂがユーザ装置２００に対して複数のセルを設定するとき、ＭＡＣ処理部１２０Ｂは、これらのセルについて設定された１つ又は複数のＨＡＲＱプロセスを共通のＨＡＲＱプロセスとして管理するＨＡＲＱシェアリングを設定する。この場合、ＭＡＣ処理部１２０Ｂは、設定されたＨＡＲＱプロセスのうち指定されたＨＡＲＱプロセスを共通のＨＡＲＱプロセスとして管理し、当該共通のＨＡＲＱプロセスの再送データを複数のセルを介しユーザ装置２００に送信する。これにより、ダイバーシチ効果によって再送データをより確実にユーザ装置２００に送信することが可能になる。
【００３９】
ＲＬＣ処理部１３０Ｂは、ＭＡＣ処理部１２０Ｂに送信データを提供する。具体的には、ＲＬＣ処理部１３０Ｂは、ＭＡＣ処理部１２０Ｂによって設定されたトランスポートブロックサイズに対応する送信データをＭＡＣ処理部１２０Ｂに提供する。
【００４０】
第２実施例では、セル管理部１１０Ｂは、ＨＡＲＱシェアリングが適用される複数のセルの通信品質を取得し、複数のセルの何れかについて検出された通信品質が、現在設定されている送信データサイズを送信するのに必要なレベル未満に低下すると、ＭＡＣ処理部１２０Ｂは、当該事象をＲＬＣ処理部１３０Ｂへ通知し、検出された通信品質に対応する送信データサイズにより構成された送信データをＲＬＣ処理部１３０Ｂから取得する。具体的には、セル管理部１１０Ｂは、共通のＨＡＲＱプロセスに関連する複数のコンポーネントキャリアでデータの送信又は再送中、これらセルの通信品質をモニタする。現在設定されている送信データサイズを送信するのに必要なレベル未満まで通信品質が低下したセルが検出される（或いは、当該セルでスケジューリング機会を検出する場合）と、ＭＡＣ処理部１２０Ｂは、当該事象をＲＬＣ処理部１３０Ｂへ通知し、検出した通信品質に対応したより小さいトランスポートブロックサイズを再設定し、当該トランスポートブロックサイズに対応する送信データ（ＲＬＣ  ＰＤＵ）をＲＬＣ処理部１３０Ｂから取得する。ＭＡＣ処理部１２０Ｂは、取得した送信データからＭＡＣ  ＰＤＵを生成してユーザ装置２００に送信する。ＭＡＣ処理部１２０ＢからＲＬＣ処理部１３０Ｂに対する通知には、対応するＨＡＲＱ  ｐｒｏｃｅｓｓ番号やＲＬＣ  ＰＤＵ（或いはＲＬＣ  ＰＤＵ  ｓｅｇｍｅｎｔ）を特定する情報（例えば、ＳＮ（Ｓｅｑｕｅｎｃｅ  Ｎｕｍｂｅｒ）やＳＯ（Ｓｅｇｍｅｎｔ  Ｏｆｆｓｅｔ）など）が含まれていてもよい。これにより、ＨＡＲＱ再送時に通信品質の劣化などにより送信可能なトランスポートブロックサイズが小さくなった場合、現在の通信品質に応じてトランスポートブロックサイズを動的に変更することができる。すなわち、本実施例は、ＭＡＣレイヤでの再送時に上位のＲＬＣレイヤの再送を強制的にトリガすることに相当すると考えられる。
【００４１】
一実施例では、ＲＬＣ処理部１３０Ｂは、ＲＬＣ処理部１３０Ｂからの送信データの再送回数を計数する再送カウンタを有し、ＭＡＣ処理部１２０Ｂから検出された通信品質に対応する送信データサイズにより構成された送信データを要求されたことに応答して、ＲＬＣ処理部１３０Ｂは、再送カウンタをインクリメントしないようにしてもよい。ＲＬＣ処理部１３０Ｂは、ＲＬＣ  ＰＤＵ単位で再送回数を計数しており、当該再送カウンタを利用して、ＭＡＣ処理部１２０Ｂによる再送処理で送信できなかったデータをＲＬＣ処理部１３０Ｂによる再送処理によって再送する。典型的には、ＲＬＣ処理部１３０Ｂからの再送は、ＭＡＣ処理部１２０Ｂによる再送超過後に実施される。一方、上述したＭＡＣ処理部１２０Ｂによるトランスポートブロックサイズの変更に伴うＲＬＣ処理部１３０Ｂからの送信データの提供は、ＭＡＣ処理部１２０Ｂによる再送超過前に実行され、ＲＬＣ処理部１３０Ｂによる再送としてカウントされるべきでない。このため、ＭＡＣ処理部１２０Ｂが変更したトランスポートブロックサイズに対応する送信データをＲＬＣ処理部１３０Ｂに要求した場合、ＲＬＣ処理部１３０Ｂは、再送カウンタをインクリメントしなくてもよい。尚、このような処理を行うか否かについては、下りリンクであれば基地局１００Ｂ内部で行われるが、上りリンクについては基地局１００Ｂからの指示を以て判定されてもよい。具体的には、ユーザ装置２００は基地局１００Ｂから上りグラントを割り当てられる際、その中で上記制御を行うか否かが通知されていてもよいし、或いは、同一ＨＡＲＱプロセスに対して異なるＴＢＳ（或いは、それに対応するＭＣＳ選択）がされている場合に、ユーザ装置２００が暗示的にこれを判定してもよいし、或いはその両方が適用されてもよい。
【００４２】
図８は、本発明の第２実施例によるユーザ装置の構成を示すブロック図である。図８に示されるように、ユーザ装置２００Ｂは、送受信部２１０Ｂ、ＭＡＣ処理部２２０Ｂ及びＲＬＣ処理部２３０Ｂを有する。
【００４３】
送受信部２１０Ｂは、基地局１００により提供されるセルを介し無線信号を送受信する。具体的には、送受信部２１０Ｂは、基地局１００により提供される複数のコンポーネントキャリアを使用して、基地局１００との間でアップリンク／ダウンリンク制御チャネルやアップリンク／ダウンリンクデータチャネルなどの各種無線チャネルを送受信する。例えば、ユーザ装置２００Ｂにキャリアアグリゲーションが設定されている場合、送受信部２１０Ｂは、これら複数のコンポーネントキャリアを同時に使用して、１以上の基地局１００との間で各種無線チャネルを送受信することができる。
【００４４】
ＭＡＣ処理部２２０Ｂは、１つ又は複数のＨＡＲＱプロセスを共通のＨＡＲＱプロセスとして管理するＨＡＲＱシェアリングを利用することによって、複数のセルを介した再送処理を制御する。具体的には、基地局１００がユーザ装置２００Ｂに対して複数のセルを設定するとき、ＭＡＣ処理部２２０Ｂは、これらのセルについて設定された１つ又は複数のＨＡＲＱプロセスを共通のＨＡＲＱプロセスとして管理するＨＡＲＱシェアリングを設定する。この場合、ＭＡＣ処理部２２０Ｂは、設定されたＨＡＲＱプロセスのうち指定されたＨＡＲＱプロセスを共通のＨＡＲＱプロセスとして管理し、当該共通のＨＡＲＱプロセスの再送データを複数のセルを介し基地局１００に送信する。これにより、ダイバーシチ効果によって再送データをより確実に基地局１００に送信することが可能になる。
【００４５】
ＲＬＣ処理部２３０Ｂは、ＭＡＣ処理部２２０Ｂに送信データを提供する。具体的には、ＲＬＣ処理部２３０Ｂは、ＭＡＣ処理部２２０Ｂによって設定されたトランスポートブロックサイズに対応する送信データをＭＡＣ処理部２２０Ｂに提供する。
【００４６】
第２実施例では、送受信部２１０Ｂは、ＨＡＲＱシェアリングが適用される複数のセルの通信品質を取得し、複数のセルの何れかについて検出された通信品質が、現在設定されている送信データサイズを送信するのに必要なレベル未満に低下すると、ＭＡＣ処理部２２０Ｂは、当該事象をＲＬＣ処理部２３０Ｂへ通知し、検出された通信品質に対応する送信データサイズにより構成された送信データをＲＬＣ処理部２３０Ｂから取得する。具体的には、送受信部２１０Ｂは、共通のＨＡＲＱプロセスに関連する複数のコンポーネントキャリアでデータの送信又は再送中、これらセルの通信品質をモニタする。現在設定されている送信データサイズを送信するのに必要なレベル未満まで通信品質が低下したセルが検出される（或いは、当該セルでスケジューリング機会を検出する場合）と、ＭＡＣ処理部２２０Ｂは、当該事象をＲＬＣ処理部２３０Ｂへ通知し、検出した通信品質に対応したより小さいトランスポートブロックサイズを再設定し、当該トランスポートブロックサイズに対応する送信データ（ＲＬＣ  ＰＤＵ）をＲＬＣ処理部２３０Ｂから取得する。ＭＡＣ処理部２２０Ｂは、取得した送信データからＭＡＣ  ＰＤＵを生成して基地局１００に送信する。ＭＡＣ処理部２２０ＢからＲＬＣ処理部２３０Ｂに対する通知には、対応するＨＡＲＱ  ｐｒｏｃｅｓｓ番号やＲＬＣ  ＰＤＵ（或いはＲＬＣ  ＰＤＵ  ｓｅｇｍｅｎｔ）を特定する情報（例えば、ＳＮやＳＯなど）が含まれていてもよい。これにより、ＨＡＲＱ再送時に通信品質の劣化などにより送信可能なトランスポートブロックサイズが小さくなった場合、現在の通信品質に応じてトランスポートブロックサイズを動的に変更することができる。すなわち、本実施例は、ＭＡＣレイヤでの再送時に上位のＲＬＣレイヤの再送を強制的にトリガすることに相当すると考えられる。
【００４７】
一実施例では、ＲＬＣ処理部２３０Ｂは、ＲＬＣ処理部２３０Ｂからの送信データの再送回数を計数する再送カウンタを有し、ＭＡＣ処理部２２０Ｂから検出された通信品質に対応する送信データサイズにより構成された送信データを要求されたことに応答して、ＲＬＣ処理部２３０Ｂは、再送カウンタをインクリメントしないようにしてもよい。ＲＬＣ処理部２３０Ｂは、ＲＬＣ  ＰＤＵ（或いはＲＬＣ  ＰＤＵ  ｓｅｇｍｅｎｔ）単位で再送回数を計数しており、当該再送カウンタを利用して、ＭＡＣ処理部２２０Ｂによる再送処理で送信できなかったデータをＲＬＣ処理部２３０Ｂによる再送処理によって再送する。典型的には、ＲＬＣ処理部２３０Ｂからの再送は、ＭＡＣ処理部２２０Ｂによる再送超過後に実施される。一方、上述したＭＡＣ処理部２２０Ｂによるトランスポートブロックサイズの変更に伴うＲＬＣ処理部２３０Ｂからの送信データの提供は、ＭＡＣ処理部２２０Ｂによる再送超過前に実行され、ＲＬＣ処理部２３０Ｂによる再送としてカウントされるべきでない。このため、ＭＡＣ処理部２２０Ｂが変更したトランスポートブロックサイズに対応する送信データをＲＬＣ処理部２３０Ｂに要求した場合、ＲＬＣ処理部２３０Ｂは、再送カウンタをインクリメントしなくてもよい。
【００４８】
図９は、本発明の第２実施例によるＨＡＲＱ送信処理を示すフロー図である。当該処理は、ダウンリンクデータ又はアップリンクデータの送信及び再送中に送信側の装置により実行される。すなわち、ダウンリンク送信では、当該処理は基地局１００Ｂによって実行され、アップリンク送信では、当該処理はユーザ装置２００Ｂによって実行される。以下では、ダウンリンク送信に着目として当該処理を説明するが、アップリンク送信に同様に適用可能であることは当業者に容易に理解されるであろう。
【００４９】
図９に示されるように、ステップＳ２０１において、基地局１００Ｂは、ユーザ装置２００と無線通信するためのセルの通信品質を取得する。例えば、基地局１００Ｂは、ダウンリンク再送中、各セルのＣＱＩをユーザ装置２００から定期的に取得してもよい。
【００５０】
ステップＳ２０２において、基地局１００Ｂは、共通ＨＡＲＱプロセスを適用する。すなわち、基地局１００Ｂは、１つ又は複数のＨＡＲＱプロセスを共通のＨＡＲＱプロセスとして管理するＨＡＲＱシェアリングを利用する。これにより、共通のＨＡＲＱプロセスに関連するセルから送信されたデータについて再送が必要になった場合、共通のＨＡＲＱプロセスに関連する他のセルからデータを再送することが可能になり、ダイバーシチ効果によってより確実に再送データを受信させることが可能になる。
【００５１】
ステップＳ２０３において、基地局１００Ｂは、共通のＨＡＲＱプロセスが適用される複数のセルの何れかについて検出された通信品質が、現在設定されている送信データサイズを送信するのに必要なレベル未満に低下したことを検出する。例えば、現在設定されているトランスポートブロックサイズがＣＱＩインデックスＸに対応している場合、基地局１００Ｂは、共通のＨＡＲＱプロセスが適用される何れかのセルのＣＱＩインデックスＹがＸ未満であることを検出すると、検出されたＣＱＩインデックスＹに対応するトランスポートブロックサイズを再設定する。
【００５２】
ステップＳ２０４において、基地局１００Ｂは、検出された通信品質に対応する送信データサイズにより送信データを再構成し、ユーザ装置２００に送信する。具体的には、基地局１００Ｂは、検出されたＣＱＩインデックスＹに対応するトランスポートブロックサイズに対応するＭＡＣ  ＰＤＵを生成し、ユーザ装置２００に送信する。
【００５３】
次に、図１０〜１２を参照して、本発明の第３実施例によるＨＡＲＱ送信処理を説明する。図１０は、本発明の第３実施例による基地局の構成を示すブロック図である。
【００５４】
図１０に示されるように、基地局１００Ｃは、セル管理部１１０Ｃ及びＭＡＣ処理部１２０Ｃを有する。
【００５５】
セル管理部１１０Ｃは、ユーザ装置２００と無線通信するためのセルを管理する。具体的には、第１、２実施例と同様に、セル管理部１１０Ｃは、基地局１００Ｃにより提供される複数のセルの通信品質を取得し、取得した各セルの通信品質をセル品質情報として保持する。例えば、ダウンリンク通信については、セル管理部１１０Ｃは、ユーザ装置２００から各セルのＣＱＩを取得し、取得したＣＱＩに基づきセル品質情報を構成してもよい。また、アップリンク通信については、セル管理部１１０Ｃは、ユーザ装置２００から送信されるＰＵＣＣＨ、ＰＵＳＣＨ、ＳＲＳなどの受信品質を測定し、測定結果に基づきセル品質情報を構成してもよい。
【００５６】
ＭＡＣ処理部１２０Ｃは、１つ又は複数のＨＡＲＱプロセスを共通のＨＡＲＱプロセスとして管理するＨＡＲＱシェアリングを利用することによって、複数のセルを介した再送処理を制御する。具体的には、基地局１００Ｃがユーザ装置２００に対して複数のセルを設定するとき、ＭＡＣ処理部１２０Ｃは、これらのセルについて設定された１つ又は複数のＨＡＲＱプロセスを共通のＨＡＲＱプロセスとして管理するＨＡＲＱシェアリングを設定する。この場合、ＭＡＣ処理部１２０Ｃは、設定されたＨＡＲＱプロセスのうち指定されたＨＡＲＱプロセスを共通のＨＡＲＱプロセスとして管理し、当該共通のＨＡＲＱプロセスの再送データを複数のセルを介しユーザ装置２００に送信する。これにより、ダイバーシチ効果によって再送データをより確実にユーザ装置２００に送信することが可能になる。
【００５７】
第３実施例では、ＭＡＣ処理部１２０Ｃは、各送信機会において複数の拡張された冗長バージョンに対応するビット系列を送信し、再送処理において現在設定されている送信データサイズより小さな送信データサイズによりビット系列を送信する場合、当該複数の拡張された冗長バージョンを低減することによって、より小さな送信データサイズによりビット系列を送信する。従来、冗長バージョンは２ビットにより０〜３の冗長バージョンインデックス（ＲＶＩ）により規定され、ＨＡＲＱの各送信機会では、何れか１つの冗長バージョンに対応するビット系列が送信されている。本実施例では、従来の冗長バージョンを拡張すると共に、１回の送信機会において複数の冗長バージョンに対応するビット系列が送信される。例えば、拡張された冗長バージョンは、４ビットを用いて０〜１５のＲＶＩにより規定されてもよい。
【００５８】
ＭＡＣ処理部１２０Ｃは、セルの通信品質に応じて、１回の送信機会において１以上の冗長バージョンに対応するビット系列を送信してもよい。例えば、通信品質の良好なセルでは、ＭＡＣ処理部１２０Ｃは、ＲＶＩ０〜３のビット系列を１回の送信機会で送信してもよい。なお、何れの冗長バージョンのビット系列まで送信されているかについて、受信側は、通知されたＲＶＩとビット系列の総数とに基づき判定することが可能である。例えば、各冗長バージョンに対して５０ビットのビット系列が送信されるとする。このとき、ＲＶＩ０の通知と共に２００ビットのビット系列を受信した場合、受信側は、ＲＶＩ０〜３までのビット系列が送信されたと判断することができる。ただし、実際には、ビット系列は必ずしもＲＶＩの昇順により構成されている必要はない。
【００５９】
本実施例では、セルの通信品質の低下などによって、現在設定されているトランスポートブロックサイズより小さいトランスポートブロックサイズが再設定される場合、ＭＡＣ処理部１２０Ｃは、１回の送信機会において送信するビット系列を小さくする。例えば、各冗長バージョンに対して５０ビットのビット系列が送信されるとする。このとき、初送においてＲＶＩ０〜３の２００ビットのビット系列を送信した後にセルの通信品質が低下したことを検出すると、ＭＡＣ処理部１２０Ｃは、例えば、ＲＶＩ４〜５の１００ビットのビット系列を再送してもよい。
【００６０】
なお、上述した拡張されたＲＶＩを用いてより細かい粒度により冗長バージョンを指定できる場合であっても、ＭＡＣ処理部１２０Ｃは、ＨＡＲＱの初送については所定のトランスポートブロックサイズを適用してもよい。これは、トランスポートブロックサイズの復号には少なくとも情報ビット数（符号化前のビット数）分のデータが受信される必要があるためである。この場合、ＨＡＲＱの初送の冗長バージョンは、従来の２ビットのＲＶＩにより表現することができるため、ユーザ装置２００の受信状態に応じてＲＶＩを表現するビット数が変更されてもよい。例えば、ユーザ装置２００は、再送ＨＡＲＱプロセスが１つもない場合、２ビットによりＲＶＩが表現されると想定してブラインド復号を実行してもよい。そして、ＮＡＣＫが発生した場合、ユーザ装置２００は、再送要求を送信してから４ｍｓ後から以降のサブフレームでは、４ビットによりＲＶＩが表現されると想定してブラインド復号を実行してもよい。あるいは、ユーザ装置２００は、従来の２ビットにより表されたＲＶＩと４ビットにより表された拡張されたＲＶＩとの双方を想定してサブフレームを復号してもよい。当該サブフレームに初送ＨＡＲＱプロセスと再送ＨＡＲＱプロセスとの何れがスケジューリングされているかは基地局１００Ｃ次第であるため、ユーザ装置２００は、双方のＲＶＩを想定してブラインド復号を実行してもよい。
【００６１】
一実施例では、ＵＳＳ（ＵＥ  ｓｐｅｃｉｆｉｃ  Ｓｅａｒｃｈ  Ｓｐａｃｅ）で送信されるＤＣＩ（Ｄｏｗｎｌｉｎｋ  Ｃｏｎｔｒｏｌ  Ｉｎｆｏｒｍａｔｉｏｎ）のみ拡張されたＲＶＩにより指定可能とされてもよい。これは、拡張された冗長バージョンは、ユーザ装置２００毎に指定されるためである。すなわち、ユーザ装置２００は、ＣＳＳ（Ｃｏｍｍｏｎ  Ｓｅａｒｃｈ  Ｓｐａｃｅ）では２ビット、ＵＳＳでは４ビットと想定してブラインド復号を実行する。ＣＳＳはクロスキャリアスケジューリングされており、独立ＨＡＲＱプロセスのみ制御すれば十分である。これにより、拡張されたＲＶＩによるオーバヘッドを可能な限り削減することができる。
【００６２】
一実施例では、拡張された冗長バージョンは、それぞれ異なるビット系列長を有してもよい。例えば、ＲＶＩ０のビット系列は情報ビット長と同程度のビット系列長を有し、ＲＶＩ１のビット系列もまた情報ビット長と同程度のビット系列長を有する一方、ＲＶＩ２のビット系列はその１／２のビット系列長を有し、ＲＶＩ３のビット系列は更にその１／２のビット系列長を有し、以下同様に構成されてもよい。すなわち、初送では、より大きなビット系列が送信され、その後、通信品質の劣化の可能性を考慮して、トランスポートブロックサイズを低減するようにしてもよい。
【００６３】
また、各ＲＶＩに対応するトランスポートブロックサイズは、予め固定的に決定されてもよいし、ＭＡＣ処理部１２０Ｃからの指示に従って決定されてもよい。なお、基地局１００Ｃにおいてトランスポートブロックサイズが変更されるとき、ＵＥ−ｅＮＢ間の不一致が発生する可能性を回避するため、当該変更がＣＳＳにおいて通知されてもよい。
【００６４】
図１１は、本発明の第３実施例によるユーザ装置の構成を示すブロック図である。
【００６５】
図１１に示されるように、ユーザ装置２００Ｃは、送受信部２１０Ｃ及びＭＡＣ処理部２２０Ｃを有する。
【００６６】
送受信部２１０Ｃは、基地局１００により提供されるセルを介し無線信号を送受信する。具体的には、送受信部２１０Ｃは、基地局１００により提供される複数のコンポーネントキャリアを使用して、基地局１００との間でアップリンク／ダウンリンク制御チャネルやアップリンク／ダウンリンクデータチャネルなどの各種無線チャネルを送受信する。例えば、ユーザ装置２００Ｃにキャリアアグリゲーションが設定されている場合、送受信部２１０Ｃは、これら複数のコンポーネントキャリアを同時に使用して、１以上の基地局１００との間で各種無線チャネルを送受信することができる。
【００６７】
ＭＡＣ処理部２２０Ｃは、１つ又は複数のＨＡＲＱプロセスを共通のＨＡＲＱプロセスとして管理するＨＡＲＱシェアリングを利用することによって、複数のセルを介した再送処理を制御する。具体的には、基地局１００がユーザ装置２００Ｃに対して複数のセルを設定するとき、ＭＡＣ処理部２２０Ｃは、これらのセルについて設定された１つ又は複数のＨＡＲＱプロセスを共通のＨＡＲＱプロセスとして管理するＨＡＲＱシェアリングを設定する。この場合、ＭＡＣ処理部２２０Ｃは、設定されたＨＡＲＱプロセスのうち指定されたＨＡＲＱプロセスを共通のＨＡＲＱプロセスとして管理し、当該共通のＨＡＲＱプロセスの再送データを複数のセルを介し基地局１００に送信する。これにより、ダイバーシチ効果によって再送データをより確実に基地局１００に送信することが可能になる。
【００６８】
第３実施例では、ＭＡＣ処理部２２０Ｃは、各送信機会において複数の拡張された冗長バージョンに対応するビット系列を送信し、再送処理において現在設定されている送信データサイズより小さな送信データサイズによりビット系列を送信する場合、当該複数の拡張された冗長バージョンを低減することによって、より小さな送信データサイズによりビット系列を送信する。本実施例では、従来の冗長バージョンを拡張すると共に、１回の送信機会において複数の冗長バージョンに対応するビット系列が送信される。例えば、拡張された冗長バージョンは、４ビットを用いて０〜１５の冗長バージョンインデックスにより規定されてもよい。
【００６９】
ＭＡＣ処理部２２０Ｃは、セルの通信品質に応じて、１回の送信機会において１以上の冗長バージョンに対応するビット系列を送信してもよい。例えば、通信品質の良好なセルでは、ＭＡＣ処理部２２０Ｃは、例えば、ＲＶＩ０〜３のビット系列を１回の送信機会で送信してもよい。本実施例では、セルの通信品質の低下などによって、より小さいトランスポートブロックサイズが再設定される場合、ＭＡＣ処理部２２０Ｃは、１回の送信機会において送信するビット系列を小さくする。例えば、各冗長バージョンに対して５０ビットのビット系列が送信されるとする。このとき、初送においてＲＶＩ０〜３の２００ビットのビット系列を送信した後にセルの通信品質が低下したことを検出すると、ＭＡＣ処理部２２０Ｃは、例えば、ＲＶＩ４〜５の１００ビットのビット系列を再送してもよい。
【００７０】
なお、上述した拡張されたＲＶＩを用いてより細かい粒度により冗長バージョンを指定できる場合であっても、ＭＡＣ処理部２２０Ｃは、ＨＡＲＱの初送については所定のトランスポートブロックサイズを適用してもよい。
【００７１】
一実施例では、拡張された冗長バージョンは、それぞれ異なるビット系列長を有してもよい。この場合、初送では、より大きなビット系列が送信され、その後、通信品質の劣化の可能性を考慮して、トランスポートブロックサイズを低減するようにしてもよい。
【００７２】
図１２は、本発明の第３実施例によるＨＡＲＱ送信処理を示すフロー図である。当該処理は、ダウンリンクデータ又はアップリンクデータの送信及び再送中に送信側の装置により実行される。すなわち、ダウンリンク送信では、当該処理は基地局１００Ｃによって実行され、アップリンク送信では、当該処理はユーザ装置２００Ｃによって実行される。以下では、ダウンリンク送信に着目として当該処理を説明するが、アップリンク送信に同様に適用可能であることは当業者に容易に理解されるであろう。
【００７３】
図１２に示されるように、ステップＳ３０１において、基地局１００Ｃは、ユーザ装置２００と無線通信するためのセルの通信品質を取得する。例えば、基地局１００Ｃは、ダウンリンク再送中、各セルのＣＱＩをユーザ装置２００から定期的に取得してもよい。
【００７４】
ステップＳ３０２において、基地局１００Ｃは、共通ＨＡＲＱプロセスを適用すると共に、各送信機会において複数の拡張された冗長バージョンに対応するビット系列を送信する。すなわち、基地局１００Ｃは、１つ又は複数のＨＡＲＱプロセスを共通のＨＡＲＱプロセスとして管理するＨＡＲＱシェアリングを利用すると共に、ＨＡＲＱの各送信機会において複数の拡張された冗長バージョンに対応するビット系列を送信する。従来、冗長バージョンは２ビットにより０〜３のＲＶＩにより規定され、ＨＡＲＱの各送信機会では、何れか１つの冗長バージョンに対応するビット系列が送信されていた。本実施例では、従来の冗長バージョンを拡張すると共に、１回の送信機会において複数の冗長バージョンに対応するビット系列が送信される。例えば、拡張された冗長バージョンは、４ビットを用いて０〜１５のＲＶＩにより規定されてもよい。
【００７５】
ステップＳ３０３において、基地局１００Ｃは、共通のＨＡＲＱプロセスが適用される複数のセルの何れかについて検出された通信品質が、現在設定されている送信データサイズを送信するのに必要なレベル未満に低下したことを検出する。この場合、基地局１００Ｃは、以降の再送処理において、現在設定されている送信データサイズより小さな送信データサイズによりビット系列を送信する必要がある。
【００７６】
ステップＳ３０４において、基地局１００Ｃは、拡張された冗長バージョンを低減することによって、より小さな送信データサイズによりビット系列を送信する。例えば、各冗長バージョンに対して５０ビットのビット系列が送信されるとする。このとき、初送においてＲＶＩ０〜３の２００ビットのビット系列を送信した後にセルの通信品質が低下したことを検出すると、基地局１００Ｃは、例えば、ＲＶＩ４〜５の１００ビットのビット系列を再送してもよい。
【００７７】
第１〜３実施例を個別に説明したが、これらが組み合わせ可能であることは当業者に理解されるであろう。例えば、ＨＡＲＱの初送時には、第１実施例によりトランスポートブロックサイズが設定され、以降のＨＡＲＱ再送において、通信品質の劣化に伴って第２実施例及び／又は第３実施例が適宜適用されてもよい。
【００７８】
以上、本発明の実施例について詳述したが、本発明は上述した特定の実施形態に限定されるものではなく、特許請求の範囲に記載された本発明の要旨の範囲内において、種々の変形・変更が可能である。
【００７９】
本出願は、２０１５年５月１日に出願した日本国特許出願２０１５−０９４２７２号の優先権の利益に基づき、これを主張するものであり、２０１５−０９４２７２号の全内容を本出願に援用する。
【符号の説明】
【００８０】
１０  無線通信システム
１００  基地局
２００  ユーザ装置
【図１】
2016178331.tif 000003
【図２】
2016178331.tif 000004
【図３】
2016178331.tif 000005
【図４Ａ】
2016178331.tif 000006
【図４Ｂ】
2016178331.tif 000007
【図４Ｃ】
2016178331.tif 000008
【図５】
2016178331.tif 000009
【図６】
2016178331.tif 000010
【図７】
2016178331.tif 000011
【図８】
2016178331.tif 000012
【図９】
2016178331.tif 000013
【図１０】
2016178331.tif 000014
【図１１】
2016178331.tif 000015
【図１２】
2016178331.tif 000016
【国際調査報告】
2016178331.tif 000017
2016178331.tif 000018